(57)【要約】【課題】従来の空気調和機の室内機よりも集塵効果が高く、かつ、騒音の増加を抑制することができる空気調和機の室内機を提供する。【解決手段】空気調和機の室内機（１）は、内部に、シロッコファンを有する室内機本体部（２）を備え、室内機本体部（２）の上面および下面の少なくとも一方に、空気を吸込む吸込み口を有し、室内機本体部（２）の内側に、空気清浄フィルタが、吸込み口の全範囲に設けられており、空気清浄フィルタの位置によって空気清浄フィルタの圧力損失が異なる。【選択図】図２
2020041736.tif 000002
【特許請求の範囲】
【請求項１】
内部に、横方向から空気を吸込むシロッコファンと、上記シロッコファンを回転させるモータとを有する本体を備え、
上記本体の上面および下面の少なくとも一方に、上記シロッコファンの回転により空気を吸込む吸込み口を有し、
上記本体における上記吸込み口の内側に、通過する空気を清浄化する空気清浄フィルタが、上記吸込み口の全範囲に設けられており、
上記空気清浄フィルタの位置によって上記空気清浄フィルタの圧力損失が異なることを特徴とする空気調和機の室内機。
【請求項２】
上記吸込み口は、上記本体の上面および下面にそれぞれ設けられており、
上記吸込み口のうち一方の吸込み口の吸込み面積は他方の吸込み口の吸込み面積よりも大きく、
上記吸込み面積が小さい方の吸込み口に対応して設けられた空気清浄フィルタの圧力損失が、上記吸込み面積が大きい方の吸込み口に対応して設けられた空気清浄フィルタの圧力損失よりも低いことを特徴とする請求項１に記載の空気調和機の室内機。
【請求項３】
上記空気清浄フィルタは、同一平面内において、部分的に圧力損失が異なることを特徴とする請求項１または２に記載の空気調和機の室内機。
【請求項４】
上記本体内に、上記シロッコファンを回転させるモータと、上記シロッコファンを覆うファンケーシングと、上記モータを覆うモータカバーとをさらに有し、
上記空気清浄フィルタにおける上記ファンケーシングまたは上記モータカバーに対向する部分の圧力損失が上記部分以外の部分の圧力損失よりも低いことを特徴とする請求項３に記載の空気調和機の室内機。
【請求項５】
上記空気清浄フィルタの材質および目付量の少なくとも一方によって上記圧力損失が調整されていることを特徴とする請求項１〜４の何れか１項に記載の空気調和機の室内機。
【発明の詳細な説明】
【技術分野】
【０００１】
本発明は、空気清浄機能を備えた空気調和機に関する。
【背景技術】
【０００２】
近年の空気調和機には、空気調和機能に加えて空気清浄機能を備えたものが開発されている。例えば、特許文献１には、空気調和機の室内機本体の吸込み部分の一部に空気清浄フィルタが設けられた空気調和機が開示されている。
【先行技術文献】
【特許文献】
【０００３】
【特許文献１】特開２０１５−２１８９９３号公報
【発明の概要】
【発明が解決しようとする課題】
【０００４】
しかしながら、特許文献１のように、空気調和機の室内機本体の吸込み部分の全範囲ではなく一部にのみ空気清浄フィルタを搭載した空気調和機の集塵性能は、空気清浄機と比べて大きく劣る。
【０００５】
例えば、送風機に、送風機の軸方向の両側から空気を吸込む両吸込み型の送風機であるシロッコファンを用いて、吸込み口の全範囲に、空気清浄機に用いられている高性能な空気清浄フィルタを使用すれば、集塵性能は、空気清浄機と同等にすることが可能となる。
【０００６】
しかしながら、吸込み口の全範囲に空気清浄フィルタを設けると、圧力損失が大きくなりすぎて、送風性能が低下し、省エネ化を図ることが困難となる。
【０００７】
また、風速分布あるいは面積当たりの吸い込み風量にばらつきがあると、騒音が増加する。
【０００８】
そこで、本発明の一態様は、従来の空気調和機の室内機よりも集塵効果が高く、かつ、騒音の増加を抑制することができる空気調和機の室内機を提供することを目的とする。
【課題を解決するための手段】
【０００９】
上記の課題を解決するために、本発明の一態様にかかる空気調和機の室内機は、内部に、横方向から空気を吸込むシロッコファンを有する本体を備え、上記本体の上面および下面の少なくとも一方に、上記シロッコファンの回転により空気を吸込む吸込み口を有し、上記本体における上記吸込み口の内側に、通過する空気を清浄化する空気清浄フィルタが、上記吸込み口の全範囲に設けられており、上記空気清浄フィルタの位置によって上記空気清浄フィルタの圧力損失が異なる。
【発明の効果】
【００１０】
本発明の一態様によれば、従来の空気調和機の室内機よりも集塵効果が高く、かつ、騒音の増加を抑制することができる空気調和機の室内機を提供することができる。
【図面の簡単な説明】
【００１１】
【図１】実施形態１にかかる空気調和機の室内機の外観を示す正面図である。
【図２】図１に示す空気調和機の室内機のＡ−Ａ線矢視断面図である。
【図３】（ａ）は、実施形態１にかかる室内機が停止状態である場合の該室内機の概略の側面図であり、（ｂ）は、上記室内機が冷房設定の場合の該室内機の概略の側面図であり、（ｃ）は、上記室内機が暖房設定の場合の該室内機の概略の側面図である。
【図４】実施形態１の変形例１にかかる空気調和機の縦断面図である。
【図５】実施形態２にかかる空気調和機の室内機の縦断面図である。
【図６】実施形態２にかかる空気調和機の室内機の外観を示す上面図である。
【図７】（ａ）は、図６に示す空気調和機の室内機のＢ−Ｂ線矢視断面図であり、（ｂ）は、（ａ）に示す空気調和機の室内機の風速分布を示す概念図である。
【図８】図７の（ａ）に示す室内機本体部の要部の構成を模式的に示す図である。
【発明を実施するための形態】
【００１２】
〔実施形態１〕
以下に、本発明の実施形態について詳細に説明する。なお、以下の各実施形態では先に説明した部材と同じ機能を有する部材については同じ符号を付記し、その説明を繰り返さない。
【００１３】
〔実施形態１〕
図１は、本実施形態にかかる空気調和機の室内機１の外観を示す正面図である。図２は、図１に示す空気調和機の室内機１のＡ−Ａ線矢視断面図である。
【００１４】
（室内機１の概要）
図１および図２に示すように、空気調和機の室内機１は、室内機本体部２（本体）と、室内機本体部２の前面に設けられた導風板３と、を備えている。
【００１５】
図２に示すように、室内機本体部２の上面には、図示しない複数の開口を有し、空気を吸込む第１吸込み口１１（上吸込み口）が設けられており、室内機本体部２の下面には、図示しない複数の開口を有し、空気を吸込む第２吸込み口１２（下吸込み口）が設けられている。第１吸込み口１１および第２吸込み口１２は、室内機本体部２の長手方向である横方向の内部幅のほぼ全幅に渡って形成されている。なお、第１吸込み口１１および第２吸込み口１２に開閉蓋は設けられていない。室内機本体部２は、内部に、送風ファン１３、熱交換器１４、および送風ファン１３を回転させる図示しないモータ等を有し、前部に吹出口１７を有している。
【００１６】
室内機本体部２における第１吸込み口１１の内側（下側）には、通過する空気を清浄化する第１フィルタ１５（第１空気清浄フィルタ）が、第１吸込み口１１の全範囲に設けられている。室内機本体部２における第２吸込み口１２の内側（上側）には、通過する空気を清浄化する第２フィルタ１６（第２空気清浄フィルタ）が、第２吸込み口１２の全範囲に設けられている。第１フィルタ１５は、第１フィルタ保持部材２１で、室内機本体部２の内部に固定されている。第２フィルタ１６は、第２フィルタ保持部材２２で、室内機本体部２の内部に固定されている。
【００１７】
第１フィルタ１５および第２フィルタ１６は、これらフィルタを通過する空気中に含まれる微塵埃を捕集して除去する空気清浄フィルタであり、粗塵埃を捕集して除去する、いわゆるプレフィルタと称される集塵フィルタよりも高性能で厚みが厚く、通風抵抗が大きいフィルタである。
【００１８】
室内機１では、送風ファン１３を回転させることにより、第１吸込み口１１から吸い込まれた空気は、第１フィルタ１５、送風ファン１３および熱交換器１４を経て吹出し口１７から吹き出される。また、第２吸込み口１２から吸い込まれた空気は、第２フィルタ１６、送風ファン１３および熱交換器１４を経て吹出し口１７から吹き出される。
【００１９】
送風ファン１３には、空気清浄機に使用されるシロッコファン（遠心ファン）を使用する。送風ファン１３としてシロッコファンを用いることで、クロスフローファンよりも大きい風量・風圧を得ることができる。熱交換器１４は、送風ファン１３の前方位置（送風ファン１３よりも室内機１の前面側位置）に配置されている。
【００２０】
室内機１は、第１吸込み口１１および第２吸込み口１２からそれぞれ空気を吸込む上下吸込みによる空気清浄が可能である。室内機１は、冷房もしくは暖房と併せて空気清浄動作を行うことができる。また、空気清浄動作のみを行うこともできる。
【００２１】
図３の（ａ）は、本実施形態にかかる室内機１が停止状態である場合の室内機１の概略の側面図である。図３の（ｂ）は、本実施形態にかかる室内機１が冷房設定の場合の室内機１の概略の側面図である。図３の（ｃ）は、本実施形態にかかる室内機１が暖房設定の場合の室内機１の概略の側面図である。なお、図３の（ａ）〜（ｃ）では、簡略化のため、図２に示した送風ファン１３および熱交換器１４の記載を省略している。
【００２２】
図３の（ａ）に示すように、空気調和機の運転停止時には、空気の吸込みも吹出しも行わない。図３の（ｂ）に示すように、冷房設定の場合、第１吸込み口１１および第２吸込み口１２から空気を吸込み、吹出し口１７から、空気（風）を、天井に向かって上向きに吹き付ける、上下吸込み上吹出しが行われる。また、図３の（ｃ）に示すように、暖房設定の場合、第１吸込み口１１および第２吸込み口１２から空気を吸込み、吹出し口１７から、空気（風）を、床に向かって下向きに吹き付ける、上下吸込み下吹出しが行われる。これにより、空気調和機の室内機１の上面もしくは下面の一方からのみ空気を吸込む場合よりも、より効率的に空気清浄を行うことができる。
【００２３】
本実施形態にかかる室内機１は、図２に示すように、第１吸込み口１１の吸込み面の面積（以下、「吸込み面積」と称する）が、第２吸込み口１２の吸込み面積よりも大きく、第１フィルタ１５の吸込み面積が、第２フィルタ１６の吸込み面積よりも大きい。前述したように、第１吸込み口１１および第２吸込み口１２は、室内機本体部２の横方向の内部幅のほぼ全幅に渡って形成されている。第１吸込み口１１および第２吸込み口１２は、室内機本体部２の前後方向（言い換えれば、室内機本体部２の長手方向に直交する短手方向）の幅が異なっている。このため、第１フィルタ１５および第２フィルタ１６は、室内機本体部２の横方向の内部幅のほぼ全幅に渡って配置されており、室内機本体部２の前後方向の幅が異なっている。
【００２４】
シロッコファンは、上下対称形状を有している。第１吸込み口１１および第２吸込み口１２の面積当たりの吸込み風量は同じである。このため、第１吸込み口１１の吸込み面積と第２吸込み口１２の吸込み面積とが同一であり、第１フィルタ１５の圧力損失と第２フィルタ１６の圧力損失とが同一である場合、第１フィルタ１５を通過する空気の風速と第２フィルタ１６を通過する空気の風速とが同一となる。言い換えれば、第１吸込み口１１と第２吸込み口１２とで同一の吸込み風速となる。
【００２５】
第１吸込み口１１の吸込み面積と第２吸込み口１２の吸込み面積との比率で吸込み風量が変化すれば、第１吸込み口１１の吸込み面積と第２吸込み口１２の吸込み面積とが異なっていたとしても、理論的には、第１吸込み口１１と第２吸込み口１２とで同一の吸込み風速となる。
【００２６】
しかしながら、第１吸込み口１１の吸込み面積と第２吸込み口１２の吸込み面積とが異なる場合、実際には、吸込み面積の比率通りに吸込み風量が変化しない。
【００２７】
例えば、第１吸込み口１１の吸込み面積が第２吸込み口１２の吸込み面積の１．５倍である場合、第１吸込み口１１および第２吸込み口１２の総吸込み量が例えば１５ｍ３／分であるとすると、第１吸込み口１１の吸込み量が１０ｍ３／分となり、第２吸込み口１２の吸込み量が５ｍ３／分となるのが理想だが、実際には、第１吸込み口１１の吸込み量が例えば８ｍ３／分となり、第２吸込み口１２の吸込み量が例えば７ｍ３／分となる。そうすると、吸込み面積が小さい第２吸込み口１２における吸込み風速の方が、吸込み面積が大きい第１吸込み口１１における吸込み風速よりも速くなる。この結果、吸込み面積が小さい第２吸込み口１２において、圧力損失が増加する。圧力損失は、風速の比率に比例して増加する。例えば、第２吸込み口１２の風速が第１吸込み口１１の風速の２倍になると、第２吸込み口１２での圧力損失は、第１吸込み口１１での圧力損失の２倍になる。圧力損失の増加は、騒音の増加、エネルギーロス、集塵効率の低下に繋がる。
【００２８】
そこで、本実施形態では、第２吸込み口１２と第１吸込み口１１とにおける圧力損失の差が小さくなるように、第２フィルタ１６に、第１フィルタ１５よりも圧力損失が低い空気清浄フィルタを使用する。具体的には、第１フィルタ１５に、例えば、ＨＥＰＡフィルタ(High Efficiency Particulate Air Filter)のように、集塵効率（粒子捕集効率）が高く、通風抵抗が高い空気清浄フィルタ（言い換えれば、圧力損失が高い空気清浄フィルタ（以下、「高圧損フィルタ」と称する））を使用し、第２フィルタ１６に、第１フィルタ１５よりも目付量（単位面積当たりの質量）が少なく、集塵効率（粒子捕集効率）が低くて通風抵抗が低い空気清浄フィルタ（言い換えれば、圧力損失が低い空気清浄フィルタ（以下、「低圧損フィルタ」と称する））を使用する。
【００２９】
ＨＥＰＡフィルタは、ＪＩＳ  Ｚ  ８１２２によって、定格風量で粒径が０．３μｍの粒子に対して９９．９７％以上の粒子捕集率を持ち、かつ、初期圧力損失が２４５Ｐａ以下の性能を持つエアフィルタと規定されており、直径１１０μｍ以下のガラス繊維で形成されている。
【００３０】
例えば第２フィルタ１６には、例えば、粒子捕集率が９０％あるいは８０％といった、９９．９７％未満の粒子捕集率を有する、ＨＥＰＡフィルタとは言えない、空気清浄フィルタとして使用される高性能フィルタを使用する。粒子捕集率が低下すると、その分、圧力損失が低下する。したがって、本実施形態において、「圧力損失が低い」とは、「集塵効率（粒子捕集効率）が低い」と言い換えることができる。
【００３１】
なお、第１フィルタ１５および第２フィルタ１６に用いられる空気清浄フィルタ（濾材）としては、例えば、ポリオレフィン繊維、ポリエステル繊維、ビニロン繊維、ナイロン繊維、ポリアミド繊維、レーヨン繊維、アクリル繊維、ガラス繊維、セルロース繊維等からなる不織布を使用することができる。圧力損失は、例えば、空気清浄フィルタの材質を変更することで、調整（変更）が可能である。
【００３２】
（効果）
本実施形態によれば、上述したように第１吸込み口１１の吸込み面積と第２吸込み口１２の吸込み面積とが異なる場合に、第１吸込み口１１および第２吸込み口１２にそれぞれ対応して設けられた空気清浄フィルタの圧力損失を、空気清浄フィルタの位置によって変えることで、第１吸込み口１１と第２吸込み口１２とにおける圧力損失の差を小さくすることができる。
【００３３】
つまり、本実施形態によれば、上述したように、吸込み口の面積当たりの吸込み風量に差が無いが、吸込み面積の大小に伴う風速分布の差（圧力損失の差）がある場合、吸込み面積が小さい方の吸込み口に低圧損フィルタを配置することで、吸込み面積が小さい方の吸込み口と吸込み面積が大きい方の吸込み口とにおける圧力損失の差を小さくすることができる（但し、吸込み面積の差による吸込み風速自体は変わらない）。この結果、騒音を減少させることができるとともに、エネルギーロスを改善し、かつ、集塵効率を向上させることができる。
【００３４】
しかも、本実施形態によれば、第１吸込み口１１および第２吸込み口１２の全範囲に空気清浄フィルタを使用することで、従来の空気調和機の室内機よりも集塵効果を向上させることができるとともに、圧力損失が大きくなりすぎて、送風性能が低下することもなく、省エネ化を図ることが可能となる。
【００３５】
＜変形例＞
図４は、本変形例にかかる空気調和機の縦断面図である。図２では、第１吸込み口１１の吸込み面積が、第２吸込み口１２の吸込み面積よりも大きい場合を例に挙げて説明した。第１吸込み口１１は第２吸込み口１２と比べて比較的容易に大きくすることが可能であり、図２に示すように、第１フィルタ１５を送風ファン１３および熱交換器１４の上方に配置することで、第１吸込み口１１を大きくしたとしても、該第１吸込み口１１の全範囲に、第２フィルタ１６を容易に配置することができる。
【００３６】
しかしながら、本実施形態は、これに限定されるものではなく、図４に示すように、第２吸込み口１２の吸込み面積が、第１吸込み口１１の吸込み面積よりも大きくてもよい。この場合、第１吸込み口１１および第２吸込み口１２の全範囲に空気清浄フィルタを使用するとともに、第１吸込み口１１と第２吸込み口１２とにおける圧力損失の差が小さくなるように、第１フィルタ１５に、第２フィルタ１６よりも圧力損失が低い、低圧損の空気清浄フィルタを使用する。
【００３７】
本変形例によれば、第２吸込み口１２の吸込み面積を第１吸込み口１１の吸込み面積よりも大きくすることで、床面付近の空気の清浄率をより向上させることができる。
【００３８】
〔実施形態２〕
（室内機１の概要）
図５は、本実施形態にかかる空気調和機の室内機１の縦断面図である。本実施形態にかかる空気調和機の室内機１の外観を示す正面図は、図１と同じである。図５は、図１に示す空気調和機の室内機１のＡ−Ａ線矢視断面図に相当する。図６は、本実施形態にかかる空気調和機の室内機１の外観を示す上面図である。図７の（ａ）は、図６に示す空気調和機の室内機１のＢ−Ｂ線矢視断面図であり、図７の（ｂ）は、図７の（ａ）に示す空気調和機の室内機１の風速分布を示す概念図である。図８は、図７の（ａ）に示す室内機本体部２の要部の構成を模式的に示す図である。
【００３９】
以下では、実施形態１との相異点について説明する。本実施形態にかかる空気調和機の室内機１は、第１吸込み口１１の吸込み面積と第２吸込み口１２の吸込み面積とが同じ大きさを有している。第１フィルタ１５は、室内機本体部２における、第１吸込み口１１の内側に、第１吸込み口１１の全範囲に設けられている。また、第２フィルタ１６は、室内機本体部２における、第２吸込み口１２の内側に、第２吸込み口１２の全範囲に設けられている。このため、本実施形態では、第１フィルタ１５の吸込み面積と第２フィルタ１６の吸込み面積とが同じ大きさを有している。
【００４０】
図７の（ａ）に示すように、第１吸込み口１１および第２吸込み口１２は、実施形態１と同じく、室内機本体部２の横方向の内部幅のほぼ全幅に渡って形成されている。本実施形態では、図５に示すように、第１吸込み口１１および第２吸込み口１２における、室内機本体部２の前後方向の幅が同じ大きさに形成されている。このため、第１フィルタ１５および第２フィルタ１６は、室内機本体部２の横方向の内部幅のほぼ全幅に渡って配置されており、室内機本体部２の横方向および前後方向ともに、第１フィルタ１５の幅と第２フィルタ１６の幅とが同じ大きさを有している。
【００４１】
なお、図示はしないが、第２吸込み口１２には、図６に示す開口１１ａと同様の複数の開口が設けられている。また、図示はしないが、実施形態１にかかる空気調和機の室内機１の外観を示す上面図は、第１吸込み口１１の吸込み面積が異なることを除けば、図３と同じである。但し、第１吸込み口１１における開口１１ａの開口形状および第２吸込み口１２における開口の開口形状は、図６に示す開口形状に限定されるものではなく、任意の形状を選択することができる。また、図示はしないが、実施形態１にかかる室内機本体部２の内部構成は、第１フィルタ１５および第２フィルタ１６に、実施形態１で説明した空気清浄フィルタを使用したことを除けば、図７の（ａ）に示す室内機本体部２の内部構成と同じである。
【００４２】
図７の（ａ）に示すように、室内機１は、２つの送風ファン１３と、２つのファンケーシング４０と、ファンモータ５０（モータ）と、モータカバー６０とを備えている。モータカバー６０は、ファンモータ５０の外周面の一部を覆っている。
【００４３】
２つの送風ファン１３は、室内機本体部２内に、室内機１の長手方向に沿って、左右方向に並設されている。実施形態１と同じく、本実施形態でも、送風ファン１３には、空気清浄機に使用されるシロッコファン（遠心ファン）を使用する。シロッコファンは、２つの多翼ロータ３１（羽根車）を互いのディスク面で接続した構造を有している。図５および図７の（ａ）に示すように、各ファンケーシング４０は、それぞれ、各送風ファン１３の外周面の一部を覆っている。
【００４４】
図８に示すように、ファンモータ５０と２つの送風ファン１３とは、室内機１の長手方向に沿って直列に接続して配置されている。ファンモータ５０は、左右の端面にそれぞれ駆動軸５１を有する両軸モータであり、左右に隣り合う送風ファン１３の間に配置されている。ファンモータ５０は、駆動軸５１を介して、各送風ファン１３に、それぞれ回転力を伝達することで、各送風ファン１３を回転させる。
【００４５】
送風ファン１３は、軸方向の両方の側面に、開口部３２を有している。ファンケーシング４０には、送風ファン１３の開口部３２と対向する位置に、それぞれ開口部４１が形成されている。送風ファン１３は、図８に矢印で示すように、送風ファン１３における、駆動軸５１に平行な方向の開口部３２から横方向に空気を吸込む。吸い込んだ空気は、図７の（ａ）に示す、多翼ロータ３１の外周面（つまり、回転面）に設けられた開口部３３から吹き出され、熱交換器１４を通って、吹出し口１７から吹き出される。
【００４６】
送風ファン１３による空気の吸込み時に、図８に２Ｂで示す領域（以下、「領域２Ｂ」と称する）は、ファンケーシング４０およびモータカバー６０が障害物となり、空気の流れの邪魔をし、空気を吸い難い箇所となる。一方、図８に２Ａで示す領域（以下、「領域２Ａ」と称する）は、領域２Ｂよりも開口部４１に近く、かつ、空気の流れを邪魔する物体も無いため、空気を吸い易い箇所となる。
【００４７】
なお、ここで、領域２Ｂは、第１吸込み口１１とファンケーシング４０との間の部分、第１吸込み口１１とモータカバー６０との間の部分、第２吸込み口１２とファンケーシング４０との間の部分、および、第２吸込み口１２とモータカバー６０との間の部分である。また、領域２Ａは、第１吸込み口１１とファンケーシング４０およびモータカバー６０との間の領域における、領域２Ａ以外の領域であり、具体的には、空気の吸込み口となる、ファンケーシング４０の開口部４１と、第１吸込み口１１との間の部分、および、上記開口部４１と第２吸込み口１２との間の部分を示す。
【００４８】
第１フィルタ１５および第２フィルタ１６が、それぞれ同一の圧力損失を有する空気清浄フィルタで構成されている場合、上述したように、領域２Ａと領域２Ｂとで、面積当たりの吸込み風量に差が出てしまう。この結果、図７の（ｂ）に実線で示すように、第１吸込み口１１および第２吸込み口１２に面した部分で、空気の流れを邪魔する物体の有無によって、空気の吸込みの風速分布が不均一となる。なお、前述したように、シロッコファンは上下対称形状のため、第１吸込み口１１の吸込み面積と第２吸込み口１２の吸込み面積とが同一の場合、第１吸込み口１１と第２吸込み口１２とで同一の吸込み風速となる。このため、第１吸込み口１１側と第２吸込み口１２側とで、それぞれ、図７の（ｂ）に実線で示す風速分布と同じ風速分布が得られる。
【００４９】
上述したように、室内機本体部２の同一面（言い換えれば、同一の吸込み口）での吸込みにおいて、吸込み位置によって、吸込みの障害となる障害物があり、吸込み位置によって面積当たりの吸込み風量に差がある場合、騒音が増加する。また、吸込み口（第１吸込み口１１、第２吸込み口１２）に、各吸込み口の全範囲に対して圧力損失が同じ空気清浄フィルタを使用すると、面積当たりの吸込み風量が多い箇所（位置）では、空気清浄フィルタを多くのゴミが通ることになる。この結果、面積当たりの吸込み風量が多い箇所（つまり、第１フィルタ１５および第２フィルタ１６における、図８に示す領域２Ａに対応する領域）の寿命が短くなり、結果的に、第１フィルタ１５全体の寿命並びに第２フィルタ１６全体の寿命も短くなる。
【００５０】
そこで、本実施形態では、室内機本体部２の同一面（言い換えれば、同一の吸込み口）での吸込み位置による吸込み風量の差が小さくなるように、同一の吸込み口における空気清浄フィルタの圧力損失を部分的に変更している。したがって、本実施形態に係る空気清浄フィルタは、同一平面内において、部分的に圧力損失が異なる。
【００５１】
より具体的には、本実施形態では、同一の吸込み口における吸込み位置によって、空気清浄フィルタを構成する濾材の圧力損失を異ならせている。
【００５２】
例えば、本実施形態では、第１吸込み口１１の全範囲で、面積当たりの吸込み風量が均一となるように、第１フィルタ１５における吸込み位置によって第１フィルタ１５を構成する濾材の圧力損失を異ならせている。これにより、第１フィルタ１５の圧力損失を部分的に変更している。また、第２吸込み口１２の全範囲で、面積当たりの吸込み風量が均一となるように、第２フィルタ１６における吸込み位置によって第２フィルタ１６を構成する濾材の圧力損失を異ならせている。これにより、第２フィルタ１６の圧力損失を部分的に変更している。第１フィルタ１５および第２フィルタは、それぞれ、吸込みの障害となる障害物（具体的には、ファンケーシング４０またはモータカバー６０）に対面する部分が、それ以外の部分（上記障害物に対面しない部分）よりも圧力損失が低くなるように、各フィルタに対面する障害物の有無に応じて、部分的に圧力損失が変更されている。
【００５３】
本実施形態では、空気清浄フィルタとして、領域２Ａには、例えばＨＥＰＡフィルタのように、集塵効率（粒子捕集効率）が高く、通風抵抗が高い高圧損フィルタを配置し、領域２Ｂには、領域２Ａに配置する空気清浄フィルタよりも集塵効率（粒子捕集効率）が低く、通風抵抗が低い低圧損フィルタを配置する。
【００５４】
このため、図７の（ａ）に示すように、第１フィルタ１５は、高圧損フィルタからなる高圧損フィルタ部１５ａと、低圧損フィルタからなる低圧損フィルタ部１５ｂとを有している。高圧損フィルタ部１５ａと低圧損フィルタ部１５ｂとは、両者の間に隙間が生じないように、交互に繰り返し配置されている。同様に、第２フィルタ１６は、高圧損フィルタからなる高圧損フィルタ部１６ａと、低圧損フィルタからなる低圧損フィルタ部１６ｂとを有している。高圧損フィルタ部１６ａと低圧損フィルタ部１６ｂとは、両者の間に隙間が生じないように、交互に繰り返し配置されている。
【００５５】
低圧損フィルタ部１５ｂと低圧損フィルタ部１６ｂとは、ファンケーシング４０またはモータカバー６０を介して互いに対向して配置されている。また、高圧損フィルタ部１５ａと高圧損フィルタ部１６ａとは、間に空間部を介して互いに対向して配置されている。
【００５６】
このように、本実施形態において、第１フィルタ１５および第２フィルタ１６は、ファンケーシング４０またはモータカバー６０に対向する部分の圧力損失が、それ以外の部分の圧力損失よりも低くなるように形成されている。
【００５７】
以上のように、本実施形態にかかる第１フィルタ１５および第２フィルタ１６は、それぞれ、圧力損失が異なる複数の空気清浄フィルタで形成されている。なお、図７の（ａ）に示す例では、第１フィルタ１５および第２フィルタ１６は、それぞれ、７つの空気清浄フィルタで構成されている。各空気清浄フィルタは、図示しない接着剤で接着されている。高圧損フィルタ部１５ａと低圧損フィルタ部１５ｂとでは、空気清浄フィルタとして、それぞれ材質が異なる濾材を使用している。また、高圧損フィルタ部１６ａと低圧損フィルタ部１６ｂとでは、空気清浄フィルタとして、それぞれ材質が異なる濾材を使用している。
【００５８】
（効果）
本実施形態によれば、上述したように、隣接する領域２Ａよりも空気を吸い難い領域２Ｂに、隣接する領域２Ａの空気清浄フィルタよりも圧力損失が低い空気清浄フィルタを設けることで、領域２Ｂにおける空気の吸い難さが改善される。この結果、第１吸込み口１１の全範囲で、該第１吸込み口１１の面積当たりの吸込み風量（言い換えれば、第１フィルタ１５を通過する空気の、該第１フィルタの面積たりの風量）を、できるだけ均一にする（好適には均一にする）ことができる。また、第２吸込み口１２の全範囲で、該第２吸込み口１２の面積当たりの吸込み風量（言い換えれば、第２フィルタ１６を通過する空気の、該第２フィルタの面積たりの風量）を、できるだけ均一にする（好適には均一にする）ことができる。
【００５９】
このように、本実施形態によれば、同一面での吸込みに関して、吸込み位置によって、吸込みの障害となる障害物があり、吸込み位置によって吸込み風量に差がある場合、吸込み風量が少ない位置に、低圧損フィルタ部１６ｂを構成する低圧損フィルタを配置し、領域２Ａと領域２Ｂとにおける吸込み風量（具体的には、これらの領域における空気清浄フィルタを通過する空気の、該空気清浄フィルタの面積当たりの風量）の差を小さくする（好適には無くす）ことで、騒音を減少させることができるとともに、フィルタ寿命を長くし、使用性を向上させることができる。
【００６０】
本実施形態によれば、例えば、領域２Ａと領域２Ｂとに圧力損失が同じ空気清浄フィルタを使用した場合に、領域２Ａにおける風速と領域２Ｂにおける風速とが２：１だったと仮定すると、これを、図７の（ｂ）に二点鎖線で示すように、１．５：１．５とすることができる。つまり、本実施形態によれば、領域２Ａと領域２Ｂとが、同一平面内において隣接していることで、上述したように、領域２Ｂにおける風速を増加させ、領域２Ａにおける風速を低下させることができる。この結果、領域２Ｂにおいて低圧損フィルタ部１５ｂ・１６ｂを通して吸込まれる空気が増加する分、領域２Ａにおいて高圧損フィルタ部１５ａ・１６ａを通して吸込まれる空気が減少するので、高圧損フィルタ部１５ａ・１６ａを通過するゴミの量を減らすことができる。この結果、高圧損フィルタ部１５ａ・１６ａおよび低圧損フィルタ部１５ｂ・１６ｂで捕捉されるゴミの量を均等にすることができるので、フィルタ寿命を長くし、室内機１の使用性を向上させることができる。しかも、本実施形態によれば、第１吸込み口１１および第２吸込み口１２の全範囲に空気清浄フィルタを使用することで、従来の空気調和機の室内機よりも集塵効果を向上させることができるとともに、圧力損失が大きくなりすぎて、送風性能が低下することもなく、省エネ化を図ることが可能となる。
【００６１】
＜変形例１＞
なお、本実施形態では、室内機本体部２の上面および下面にそれぞれ空気を吸込む吸込み口が設けられている場合を例に挙げて説明した。しかしながら、本実施形態は、これに限定されるものではなく、室内機本体部２の上面および下面の何れか一方のみに吸込み口が設けられている場合にも適用が可能であることは、言うまでもない。また、実施形態１に本実施形態の構成を組み合わせることができることも、言うまでもない。
【００６２】
＜変形例２＞
実施形態１、２では、空気清浄フィルタの材質によって空気清浄フィルタの圧力損失を調整（変更）する場合を例に挙げて説明した。しかしながら、空気清浄フィルタの圧力損失を調整する方法は、空気清浄フィルタの材質を変更する方法に限定されない。例えば、単位面積当たりの空気清浄フィルタの厚みを変更する等して、空気清浄フィルタの目付量を変更することで、空気清浄フィルタの圧力損失を調整してもよい。この場合、目付量を小さくする（言い換えれば、単位面積当たりの質量を小さくする）ほど、圧力損失が低い空気清浄フィルタが得られ、目付量を大きくする（言い換えれば、単位面積当たりの質量を大きくする）ほど、圧力損失が高い空気清浄フィルタが得られる。
【００６３】
なお、勿論、空気清浄フィルタの材質および目付量の両方を調整（変更）することで圧力損失を調整（変更）してもよい。
【００６４】
〔まとめ〕
本発明の態様１にかかる空気調和機の室内機は、内部に、横方向から空気を吸込むシロッコファンと、上記シロッコファンを回転させるモータとを有する本体を備え、上記本体の上面および下面の少なくとも一方に、上記シロッコファンの回転により空気を吸込む吸込み口を有し、上記本体における上記吸込み口の内側に、通過する空気を清浄化する空気清浄フィルタが、上記吸込み口の全範囲に設けられており、上記空気清浄フィルタの位置によって上記空気清浄フィルタの圧力損失が異なる。
【００６５】
本発明の態様２にかかる空気調和機の室内機は、上記態様１において、上記吸込み口は、上記本体の上面および下面にそれぞれ設けられており、上記吸込み口のうち一方の吸込み口の吸込み面積は他方の吸込み口の吸込み面積よりも大きく、上記吸込み面積が小さい方の吸込み口に対応して設けられた空気清浄フィルタの圧力損失が、上記吸込み面積が大きい方の吸込み口に対応して設けられた空気清浄フィルタの圧力損失よりも低くてもよい。
【００６６】
本発明の態様３にかかる空気調和機の室内機は、上記態様１または２において、上記空気清浄フィルタは、同一平面内において、部分的に圧力損失が異なってもよい。
【００６７】
本発明の態様４にかかる空気調和機の室内機は、上記態様３において、上記本体内に、上記シロッコファンを回転させるモータと、上記シロッコファンを覆うファンケーシングと、上記モータを覆うモータカバーとをさらに有し、上記空気清浄フィルタにおける上記ファンケーシングまたは上記モータカバーに対向する部分の圧力損失が上記部分以外の部分の圧力損失よりも低くてもよい。
【００６８】
本発明の態様５にかかる空気調和機の室内機は、上記態様１〜４の何れかにおいて、上記空気清浄フィルタの材質および目付量の少なくとも一方によって上記圧力損失が調整されていてもよい。
【００６９】
本発明の態様６にかかる空気調和機の室内機は、上記態様１〜５の何れかにおいて、上記空気清浄フィルタを通過する空気の風速分布、または、上記空気清浄フィルタを通過する空気の、該空気清浄フィルタの面積当たりの風量が均一になるように上記空気清浄フィルタの圧力損失が調整されていてもよい。
【００７０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００７１】
１    室内機（空気調和機の室内機）
２    室内機本体部（本体部）
１１  第１吸込み口（吸込み口）
１２  第２吸込み口（吸込み口）
１５    第１フィルタ（空気清浄フィルタ）
１６    第２フィルタ（空気清浄フィルタ）
１３    送風ファン
１５ａ、１６ａ    高圧損フィルタ部
１５ｂ、１６ｂ    低圧損フィルタ部
４０    ファンケーシング
４０    送風ファン（シロッコファン）
５０    ファンモータ（モータ）
６０    モータカバー
【図１】
2020041736.tif 000003
【図２】
2020041736.tif 000004
【図３】
2020041736.tif 000005
【図４】
2020041736.tif 000006
【図５】
2020041736.tif 000007
【図６】
2020041736.tif 000008
【図７】
2020041736.tif 000009
【図８】
2020041736.tif 000010